(57)【要約】  第１の電池セル、第２の電池セル、及び第１のばねを含む電池パックが提供される。第１のばねは、第１の電池セルに及び第２の電池セルに結合する。
2016539472.tif 000002
【特許請求の範囲】
【請求項１】
電池パックあって、当該電池パックは、
第１の電極を有する第１の電池セルと、
第２の電極を有する第２の電池セルと、
第１の電池セルに及び第２の電池セルに結合される第１のばねと、を有する、
電池パック。
【請求項２】
第１のばねが伸長すると、第１の電池セルと第２の電池セルとの間の距離を増加させる、
請求項１に記載の電池パック。
【請求項３】
第１のばねが圧縮すると、第１の電池セルと第２の電池セルとの間の距離を減少させる、
請求項１に記載の電池パック。
【請求項４】
第１のばねは、第１の電池セルの第１の電極に結合され、且つ第１のばねは、第２の電池セルの第２の電極に結合される、
請求項１に記載の電池パック。
【請求項５】
第１の電池セルの第１の電極は、第１の電池セルの端部にある、
請求項１に記載の電池パック。
【請求項６】
第１の電池セルの第１の電極は、第１の電池セルの側面にある、
請求項１に記載の電池パック。
【請求項７】
電池保護回路と、該電池保護回路に結合される第２のばねとをさらに有する、
請求項１に記載の電池パック。
【請求項８】
第３の電極を有する第３の電池セルと、
第２の電池セルに及び第３の電池セルに結合される第２のばねと、をさらに有する、
請求項１に記載の電池パック。
【請求項９】
第２のばねは、第２の電池セルの第２の電極に結合され、且つ第２のばねは、第３の電池セルの第３の電極に結合される、
請求項８に記載の電池パック。
【請求項１０】
第１の電池セルに及び第２の電池セルに結合される第３のばねと、第２の電池セルに及び第３の電池セルに結合される第４のばねと、をさらに有する、
請求項９に記載の電池パック。
【請求項１１】
第３のばねは、第１の電池セルの第４の電極に結合されるとともに、第２の電池セルの第５の電極に結合され、第４のばねは、第２の電池セルの第５の電極に結合されるとともに、第３の電池セルの第６の電極に結合される、
請求項１０に記載の電池パック。
【請求項１２】
第１のばねは、第１の電池セルの第１の電極に及び第２の電池セルの第４の電極に結合され、第２のばねは、第２の電池セルの第２の電極に及び第２の電池セルの第３の電極に結合される、
請求項８に記載の電池パック。
【請求項１３】
第１の電極と第４の電極とが、反対の極性であり、第２の電極と第３の電極とが、反対の極性である、
請求項１２に記載の電池パック。
【請求項１４】
第１の電池セル、第２の電池セル、及び第３の電池セルが、直列に結合される、
請求項８に記載の電池パック。
【請求項１５】
電子機器であって、当該電子機器は、
少なくとも１つの電子部品を有する回路基板と、
第１の電極を有する第１の電池セルと、
第２の電極を有する第２の電池セルと、
第１の電池セルに及び第２の電池セルに結合される第１のばねと、を有する、
電子機器。
【請求項１６】
第１のばねが伸長すると、第１の電池セルと第２の電池セルとの間の距離を増加させる、
請求項１５に記載の電子機器。
【請求項１７】
第１のばねが圧縮すると、第１の電池セルと第２の電池セルとの間の距離を減少させる、
請求項１５に記載の電子機器。
【請求項１８】
第２の電池セルは、前記回路基板に結合する、
請求項１５に記載の電子機器。
【請求項１９】
電池保護回路をさらに有する、
請求項１５に記載の電子機器。
【請求項２０】
第２の電池セルに結合される第２のばねをさらに有し、第２のばねは、前記電池保護回路に結合する、
請求項１９に記載の電子機器。
【請求項２１】
前記電池保護回路に及び前記回路基板に結合される第３のばねをさらに有する、
請求項２０に記載の電子機器。
【請求項２２】
前記電池保護回路は、前記回路基板にある、
請求項１９に記載の電子機器。
【請求項２３】
電池パックあって、当該電池パックは、
第１の電極を有する第１の電池セルと、
第２の電極を有する第２の電池セルと、
第１の電池セルに及び第２の電池セルに結合し且つ第１の電池セルと第２の電池セルとの間の距離を変化させるための第１の手段と、を有する、
電池パック。
【請求項２４】
前記結合するための第１の手段が伸長すると、第１の電池セルと第２の電池セルとの間の距離を増加させる、
請求項２３に記載の電池パック。
【請求項２５】
前記結合するための第１の手段が圧縮すると、第１の電池セルと第２の電池セルとの間の距離を減少させる、
請求項２３に記載の電池パック。
【発明の詳細な説明】
【技術分野】
【０００１】
実施形態は、少なくとも２つの電池セルに接続するためのばねを有する電池パックに関し得る。
【背景技術】
【０００２】
充電式電池が、ラップトップやノートブックコンピュータ及び同様のモバイルコンピューティング装置を含む多くの電子機器に使用されている。電池は、リチウムイオン（Li-ion）及び他の電池技術を含むことができる。
【図面の簡単な説明】
【０００３】
【図１】例示的な実施形態に係るスマート・ウォッチの側面図である。
【図２】例示的な実施形態に係るスマート・ウォッチの側面図である。
【図３】例示的な実施形態に係る電池パック及びシステムボードの側面図である。
【図４】例示的な実施形態に係る電池パック及びシステムボードの側面図である。
【図５】例示的な実施形態に係る円筒形状電池セルを有する電池パックの側面図である。
【図６】例示的な実施形態に係る角形状電池セルを有する電池パックの側面図である。
【図７】例示的な実施形態に係る電池パックの上面図である。
【図８Ａ】例示的な実施形態に係る圧縮された状態の電池パックの図である。
【図８Ｂ】例示的な実施形態に係る圧縮された状態の電池パックの図である。
【図９Ａ】例示的な実施形態に係る伸張した状態の電池パックの図である。
【図９Ｂ】例示的な実施形態に係る伸張した状態の電池パックの図である。
【図１０】例示的な実施形態に係る屈曲可能な状態（又は構造）の電池パックの側面図である。
【発明を実施するための形態】
【０００４】
構成及び実施形態について、以下の図面を参照して詳細に説明する。その図面では、同様の参照符号が、同様の要素を指す。
以下の詳細な説明では、同様の数字や文字は、異なる図面において同一の、対応する、及び／又は同様の構成要素を指すために使用され得る。さらに、以下の詳細な説明では、例示的なサイズ／モデル／値／範囲が与えられるが、実施形態はこれに限定されるものではない。例示的な実施形態を説明するために具体的な詳細が記載されている場合に、実施形態はこれらの特定の詳細なしに実施できることは当業者に明らかであるはずです。
【０００５】
電子機器は、スマート・ウォッチ、モバイル端末、モバイル装置、モバイルコンピューティング装置、モバイルコンピューティング・プラットフォーム、モバイルプラットフォーム、ラップトップコンピュータ、タブレット、ウルトラモバイル・パーソナルコンピュータ、モバイルインターネット装置、スマートフォン、パーソナルデジタルアシスタント、ディスプレイ装置、テレビ（TV）等のいずれであってもよい。電子機器は、再充電可能な電池の電源を含んでもよい。説明を容易にするために、以下の説明では、スマート・ウォッチに関連し得る。
【０００６】
電池は、化学反応によって電位を発生させる装置である。電池は、充電操作によって動作に復帰し得る充電式電池を含んでもよい。電池として、ニッケル  カドミウム（NiCad）電池、リチウムイオン（Li-ion）電池、及び他の充電式電池が挙げられるが、これらに限定されるものではない。
電池パックは、１つ以上の電池セル（又は、電池セルの構造）から構成されるパッケージであり得る。電池パックは、電子機器、モバイルコンピューティング装置、及び／又はスマート・ウォッチを含む多くの電子機器の動作に使用することができる。電池セルは、セルブロックの形態とすることができ、各セルブロックは、１つ以上の電池セルを収容することができる。
【０００７】
電池制御ユニットは、電池の特定の動作を制御するためのユニットとすることができる。電池パックは、電池制御ユニットを含んでもよい。電池制御ユニットは、電池管理ユニットとも呼ぶことができる。電池管理ユニットは、例えば、電池パックの各セルブロックの電圧を測定するためのユニットを含んでもよい。
電池パックは、１つ以上の電池セルブロックを含むことができ、各セルブロックは、１つ以上の電池セル（又は、電池セルの構造）を収容する。電池パックは、特定の電池管理動作を制御するための電池制御ユニットをさらに含む、又はこれに結合される。電池制御ユニットは、電池管理ユニット（BMU）とも呼ぶことができる。システムは、電池管理ユニットを利用して、１つ以上の電池セルで発生し得る短絡を検出する目的で、電池パックの各セルブロックの電圧を監視することができる。リチウムイオン電池は、可撓性又は屈曲性を有さないことがあり得る。例えば、リチウムイオン電池を曲げる又は屈曲させた場合に、次に、リチウムイオン電池は、回路を短絡させ、ひいては電池に損傷を与える可能性がある。これは、リチウムが湿気に曝されると可燃性を有するため、その後の火災（又は、スパーク）が発生することがあり得る。
【０００８】
図１は、例示的な構成に係るスマート・ウォッチの側面図である。他の構成を設けてもよい。
図１の構成では、スマート・ウォッチは、バンド１０、システムボード２０（又は、回路基板）、及び電池５０を含むことができる。電池５０は、電池パックであってもよい。電池パックは、複数の電池セル（又は、電池セルの構造）を含んでもよい。
【０００９】
システムボード２０は、様々なコンポーネントが設けられる回路基板（又は、プリント回路基板）であってもよい。例えば、システムボード２０は、システムボード２０上の又はこのシステムボード２０におけるコンポーネントに電力を供給できるように、電池５０に電気的に接続される。一例として、ディスプレイ、プロセッサ、コントローラ、及び／又はメモリをシステムボード２０に結合してもよい。さらに、カメラ及び／又はセンサ（又は、複数のセンサ）をシステムボード２０に結合してもよい。
バンド１０は、ユーザ（又は、他のアイテム）に提供される場合に、伸縮性を有することができる。この構成では、電池５０を、バンド１０の特定の領域に直接的に設けてもよい。次に、電池５０がシステムボード２０とバンド１０との間に存在するように、システムボード２０を電池５０上に設けてもよい。
【００１０】
図２は、例示的な実施形態に係るスマート・ウォッチの側面図である。他の実施形態及び構成を設けてもよい。
図２は、バンド１０の異なる領域に電池パックを設けたスマート・ウォッチ（又は、他の電子機器）を示している。図２は、システムボード２０の第１の側の第１の電池パック６０と、システムボード２０の第２の側の第２の電池パック７０とを示している。
少なくとも一実施形態では、電池パックを、システムボード２０の片側に設けてもよい。少なくとも一実施形態では、電池パックを、システムボード２０の両側に設けてもよい。
【００１１】
図２は、第１の電池パック６０が、複数の電池セル（又は、電池セルの構造）を含んでもよいことを示している。説明を容易にするために、（図２の）第１の電池パック６０は、３つの電池セルだけ、すなわち電池セル６２、６４、及び６６を示している。他の数の電池セルを設けてもよい。
図２は、第２の電池パック７０が、複数の電池セル（又は、電池セルの構造）を含んでもよいことを示している。説明を容易にするために、（図２の）電池パック７０は、３つの電池セルだけ、すなわち電池セル７２、７４、及び７６を示している。他の数の電池セルを設けてもよい。
【００１２】
図２は、電池セルの各ペアの間（すなわち、隣接する電池セル同士の間）に別個のばね（又は、ばね装置）を設けてもよいことを示している。少なくとも一実施形態では、ばねは、第１の電池セルの電極に及び第２の電池セルの電極に結合することができる。少なくとも一実施形態では、電極は、電池セルの一端に設けられる。少なくとも一実施形態では、電極を、電池セルの側面領域（又は、中央領域）に設けてもよい。
ばねは、別個の電池セルの個別電極等の２つの別個の装置に取り付けるための取付け装置であってもよい。ばねが伸長可能であり、それによって２つの電池セルの間の距離を増加させることが可能である。ばねが圧縮可能であり、それによって２つの電池セルの間の距離を減少させることも可能である。ばねは、伸長、圧縮、曲げ、屈曲することができる。ばねは、導電性材料から製造することができる。
【００１３】
図２は、ばね６３（又は、ばね部分）が、電池セル６２と電池セル６４との間に結合され、ばね６５（又は、ばね部分）が、電池セル６４と電池セル６６との間に結合されることを示している。電池セル６６を、システムボード２０に結合することができる。少なくとも一実施形態では、電池セル６６を、ばねによりシステムボード２０に結合してもよい。
図２は、電池セル７２をシステムボード２０に結合してもよいことを示している。図２は、ばね７３（又は、ばね部分）が、電池セル７２と電池セル７４との間に結合され、ばね７５（又は、ばね部分）が、電池セル７４と電池セル７６との間に結合されることを示している。少なくとも一実施形態では、電池セル７６を、ばねによりシステムボード２０に結合してもよい。
【００１４】
一例では、電池セル６６は、ケーブル、又はスポット溶接、はんだ付け等を用いたケーブルを含むコネクタを介してシステムボード２０に結合してもよい。別の例では、電池セル６６を、電池保護回路（又は、電池保護回路モジュール）に接続してもよく、電池保護回路は、ケーブル、又はスポット溶接、はんだ付け等を用いたケーブルを含むコネクタを介してシステムボード２０に結合してもよい。
電池セル６６と同様に、電池セル７２を、システムボード２０に結合してもよい。
【００１５】
図３は、例示的な実施形態に係る電池パック及びシステムボードの側面図である。他の実施形態及び構成を設けてもよい。
図３は、電池パック６０が、電池セル６２、電池セル６４、及び電池セル６６を含むことを示している。ばね６３は、電池セル６２に及び電池セル６４に結合され、ばね６５は、電池セル６４に及び電池セル６６に結合される。
図３は、電池パック６０（又は、他の電池パック）内に設けられた電池保護回路８０（又は、電池保護モジュール）も示している。電池保護回路８０は、過充電、過放電、過熱等を防止する回路を含んでもよい。電池保護回路８０を、電池セル６６に及びシステムボード２０に結合してもよい。ばね７８を、電池セル６６に及び電池保護回路８０に結合してもよく、ばね８２を、電池保護回路８０に及びシステムボード２０に結合してもよい。
【００１６】
図４は、例示的な実施形態に係る電池パック及びシステムボードの側面図である。他の実施形態及び構成を設けてもよい。
図４は、電池パック６０が、電池セル６２、電池セル６４、及び電池セル６６を含むことを示している。ばね６３は、電池セル６２に及び電池セル６４に結合され、ばね６５は、電池セル６４に及び電池セル６６に結合される。
図４は、電池セル６６に及びシステムボード２０に結合されるばね８４も示している。
図４では、システムボード２０は、電池保護回路９０（又は、電池保護モジュール）を含むことができる。電池保護回路９０は、電池パック６０（又は、他の電池パック）の外部にある。電池保護回路９０は、過充電、過放電、過熱等を防止する回路を含んでもよい。
【００１７】
図５は、例示的な実施形態に係る円筒形状電池セルを有する電池パックの側面図である。他の実施形態及び構成を設けてもよい。図５に示される電池パックは、第１の電池パック６０及び第２の電池パック７０のいずれかに対応することができる。
図５は、複数の電池セル、すなわち電池セル１１０、１２０、１３０、１４０、及び１５０を有する電池パック１００を示している。図５では、電池セル１１０、１２０、１３０、１４０、及び１５０のそれぞれは、円筒形状電池セルとすることができる。他のタイプ又は形状の電池セルを設けてもよい。上述したように、電池パック１００は、電池保護回路を含むことができる。電池パックは、電池保護回路を含んでもよい。
【００１８】
図５は、電極１１１が、電池セル１１０の一端に設けられ、電極１２１が、電池セル１２０の一端に設けられ、電極１３１が、電池セル１３０の一端に設けられていることを示している。図５は、電極１４１が、電池セル１４０の一端に設けられ、電極１５１が、電池セル１５０の一端に設けられることも示している。
図５は、ばね１１５が、電池セル１１０に及び電池セル１２０に結合され、ばね１２５が、電池セル１２０に及び電池セル１３０に結合されることも示している。図５は、さらに、ばね１３５が、電池セル１３０に及び電池セル１４０に結合され、ばね１４５が、電池セル１４０に及び電池セル１５０に結合されることを示している。少なくとも一実施形態では、ばね１１５、１２５、１３５、及び１４５のそれぞれの組合せは、単一のばね（又は、取付け機構）と考えることができる。
ばね１１５、１２５、１３５、及び１４５は、それぞれ、電池セルの各々の電極に直接的に接続してもよい。
【００１９】
図６は、例示的な実施形態に係る角形状セルを有する電池パックの側面図である。他の実施形態及び構成を設けてもよい。電池パックは、電池保護回路を含むことができる。
具体的には、図６は、複数の電池セル、すなわち電池セル２１０、２２０、２３０、２４０、及び２５０を有する電池パック２００を示している。図６では、電池セル２１０、２２０、２３０、２４０、及び２５０のそれぞれは、角形状電池セルとすることができる。他のタイプ又は形状の電池セルを設けてもよい。電池パック２００は、上述した電池パックの１つに対応することができる。
【００２０】
図６は、電極２１１が、電池セル２１０の一端に設けられ、電極２２１が、電池セル２２０の一端に設けられ、電極２３１が、電池セル２３０の一端に設けられることを示している。図６は、電極２４１が、電池セル２４０の一端に設けられ、電極２５１が、電池セル２５０の一端に設けられることを示している。
図６は、ばね２１５が、電池セル２１０に及び電池セル２２０に結合され、ばね２２５が、電池セル２２０に及び電池セル２３０に結合されることも示している。図６は、さらに、ばね２３５が、電池セル２３０に及び電池セル２４０に結合され、ばね２４５が、電池セル２４０に及び電池セル２５０に結合されることを示している。少なくとも一実施形態では、ばね２１５、２２５、２３５、及び２４５のそれぞれの組合せは、単一のばね（又は、取り付け機構）と考えることができる。
ばね２１５、２２５、２３５、及び２４５は、それぞれ、電池セルの各々の電極に直接的に結合してもよい。
【００２１】
図７は、例示的な実施形態に係る電池パックの上面図である。他の実施形態及び構成を設けてもよい。図７は、図６に示される電池パック２００の上面図である。電池パックは、電池保護回路を含むことができる。
図７は、電池セル２１０が、第１の電極２１１及び第２の電極２１２を含み、電池セル２２０が、第１の電極２２１及び第２の電極２２２を含み、電池セル２３０が、第１の電極２３１及び第２の電極２３３を含むことを示している。図７は、電池セル２４０が、第１の電極２４１及び第２の電極２４２を含み、電池セル２５０が、第１の電極２５１及び第２の電極２５２を含むことも示している。
【００２２】
図７は、ばね２１５が、（第１の電池セル２１０の）第１の電極２１１に及び（第２の電池セル２２０の）第１の電極２２１に結合されることを示している。図７は、ばね２２５が、（第１の電池セル２２０の）第１の電極２２１に及び（第２の電池セル２３０の）第１の電極２３１に結合されることも示している。
図７は、ばね２３５が、（第３の電池セル２３０の）第１の電極２３１に及び（第４の電池セル２４０の）第１の電極２４１に結合されることを示している。図７は、ばね２４５が、（第４の電池セル２４０の）第１の電極２４１に及び（第５の電池セル２５０の）第１の電極２５１に結合されることも示している。
【００２３】
図７は、ばね２１８（又は、ばね部分）が、（第１の電池セル２１０の）第２の電極２１２に及び（第２の電池セル２２０の）第２の電極２２２に結合されることを示している。図７は、ばね２２８（又は、ばね部分）が、（第２の電池セル２２０の）第２の電極２２２に及び（第３の電池セル２３０の）第２の電極２３２に結合されることも示している。図７は、ばね２３８（又は、ばね部分）が、（第３の電池セル２３０の）第２の電極２３２に及び（第４の電池セル２４０の）第２の電極２４２に結合されることを示している。図７は、ばね２４８（又は、ばね部分）が、（第４の電池セル２４０の）第２の電極２４２に及び（第５の電池セル２５０の）第２の電極２５２に結合されることも示している。
【００２４】
実施形態は、電池パックの異なる電池セルに（又は、その間に）結合される複数のばねを含むことができる。実施形態は、異なる電池セルに（又は、その間に）結合される単一のばねも含むことができる。
各ばね（又は、ばね部分）を小さい構造（又は、状態）に別々に圧縮し、それによって隣接して対応する電池セル同士の間に小さなギャップ（又は減少ギャップ）を提供することができる。
各ばね（又は、ばね部分）をより大きな構造（又はその状態）に別々に伸長し、それによって隣接して対応する電池セル同士の間に大きなギャップ（又は増加ギャップ）を提供することができる。
【００２５】
図８Ａは、例示的な実施形態に係る圧縮された状態の電池パックの側面図である。図８Ｂは、例示的な実施形態に係る圧縮された状態の電池パックの上面図である。他の実施形態及び構成を設けてもよい。
図８Ａ及び図８Ｂのそれぞれに示される電池パックは、図６及び図７に関してそれぞれ上述した電池パック２００に対応することができる。
図８Ａ及び図８Ｂに確認されるように、ばね２１５は、（第１の電池セル２１０の）第１の電極２１１と（第２の電池セル２２０の）第１の電極２２１との間で圧縮された構造（又は、状態）とすることができる、つまりそれら電極のそれぞれに結合される。図８Ａ及び図８Ｂは、（第２の電池セル２２０の）第１の電極２２１と（第３の電池セル２３０の）第１の電極２３１との間で圧縮された構造（又は、状態）のばね２２５、つまりそれら電極のそれぞれに結合されるばね２２５も示している。
【００２６】
図８Ａ及び図８Ｂは、（第３の電池セル２３０の）第１の電極２３１と（第４の電池セル２４０の）第１の電極２４１との間で圧縮された構造（又は、状態）のばね２３５、つまりそれら電極のそれぞれに結合されるばね２３５を示している。図８Ａ及び図８Ｂは、（第４の電池セル２４０の）第１の電極２４１と（第５の電池セル２５０の）第１の電極２５１との間で圧縮された構造（又は、状態）のばね２４５、つまりそれら電極のそれぞれに結合されるばね２４５も示している。
図８Ａ及び図８Ｂは、（第１の電池セル２１０の）第２の電極２１２と（第２の電池セル２２０の）第２の電極２２２との間で圧縮された状態のばね２１８、つまりそれら電極のそれぞれに結合されるばね２１８を示している。図８Ａ及び図８Ｂは、（第２の電池セル２２０の）第２の電極２２２と（第３の電池セル２３０の）第２の電極２３２との間で圧縮された構造（又は、状態）のばね２２８、つまりそれら電極のそれぞれに結合されるばね２２８も示している。
【００２７】
図８Ａ及び図８Ｂは、（第３の電池セル２３０の）第２の電極２３２と（第４の電池セル２４０の）第２の電極２４２との間で圧縮された構造（又は、状態）のばね２３８、それら電極のそれぞれに結合されるばね２３８を示している。図８Ａ及び図８Ｂは、（第４の電池セル２４０の）第２の電極２４２と（第５の電池セル２５０の）第２の電極２５２との間で圧縮された構造（又は、状態）のばね２４８、つまりそれら電極のそれぞれに結合されるばね２４８も示している。
【００２８】
図９Ａは、例示的な実施形態に係る伸張した状態の電池パックの側面図である。図９Ｂは、例示的な実施形態に係る伸張した状態の電池パックの上面図である。他の実施形態及び構成を設けてもよい。伸長状態は、拡張状態とも呼ばれることもある。
図９Ａ及び図９Ｂのそれぞれに示される電池パックは、図６及び図７に関してそれぞれ上述した電池パック２００に対応することができる。
図９Ａ及び図９Ｂに確認されるように、ばね２１５は、（第１の電池セル２１０の）第１の電極２１１と（第２の電池セル２２０の）第１の電極２２１との間で伸長した構造（又は、状態）、つまりそれら電極のそれぞれに結合される。図９Ａ及び図９Ｂは、（第２の電池セル２２０の）第１の電極２２１と（第２の電池セル２３０の）第１の電極２３１との間で伸長した構造（又は、状態）のばね２２５、つまりそれら電極のそれぞれに結合されるばね２２５も示している。
【００２９】
図９Ａ及び図９Ｂは、（第３の電池セル２３０の）第１の電極２３１と（第４の電池のセル２４０の）第１の電極２４１との間で伸長した構造（又は、状態）のばね２３５、つまりそれら電極のそれぞれに結合されるばね２３５を示している。図９Ａ及び図９Ｂは、（第４の電池セル２４０の）第１の電極２４１と（第５の電池セル２５０の）第１の電極２５１との間で伸長した構造（又は、状態）のばね２４５、つまりそれら電極のそれぞれに結合されるばね２４５も示している。
図９Ａ及び図９Ｂは、（第１の電池セル２１０の）第２の電極２１２と（第２の電池セル２２０の）第２の電極２２２との間で伸長した構造（又は、状態）のばね２１８、つまりそれら電極のそれぞれに結合されるばね２１８を示している。図９Ａ及び図９Ｂは、（第２の電池セル２２０の）第２の電極２２２と（第３の電池セル２３０の）第２の電極２３２との間で伸長した構造（又は、状態）のばね２２８、つまりそれら電極のそれぞれに結合されるばね２２８も示している。
【００３０】
図９Ａ及び図９Ｂは、（第３の電池セル２３０の）第２の電極２３２と（第４の電池セル２４０の）第２の電極２４２との間で伸長した構造（又は、状態）のばね２３８、つまりそれら電極のそれぞれに結合さたばね２３８を示している。図９Ａ及び図９Ｂは、（第４の電池セル２４０の）第２の電極２４２と（第５の電池セル２５０の）第２の電極２５２との間で伸長した構造（又は、状態）のばね２４８、つまりそれら電極のそれぞれに結合されるばね２４８も示している。
【００３１】
図１０は、例示的な実施形態に係る屈曲可能な構造（又は、状態）の電池パックの側面図である。他の実施形態及び構成を設けてもよい。
図１０に確認されるように、ばね２１５は、（第１の電池セル２１０の）第１の電極２１１と（第２の電池セル２２０の）第１の電極２２１との間の伸長した構造（又は、状態）である、つまりそれら電極のそれぞれに結合される。図１０は、（第１の電池セル２２０の）第１の電極２２１と（第２の電池セル２３０の）第１の電極２３１との間で異なる方向に屈曲されるばね２２５、つまりそれら電極のそれぞれに結合されるばね２２５も示している。別の言い方をすれば、ばね２１５は、第１の方向に沿って存在しており、ばね２２５は、第２の方向に沿って存在している。
【００３２】
図１０は、（第３の電池セル２３０の）第１の電極２３１と（第４の電池セル２４０の）第１の電極２４１との間で圧縮された構造（又は、状態）で及び異なる方向に屈曲されたばね２３５、つまりそれら電極のそれぞれに結合されるばね２３５を示している。図１０は、（第４の電池セル２４０の）第１の電極２４１と（第５の電池セル２５０の）第１の電極２５１との間で異なる方向に屈曲されたばね２４５、つまりそれら電極のそれぞれに結合されるばね２４５も示している。
【００３３】
以下の実施例は、更なる実施形態に関連する。
実施例１は、電池パックであり、当該電池パックは、第１の電極を有する第１の電池セルと、第２の電極を有する第２の電池セルと、第１の電池セル及び第２の電池セルに結合される第１のばねと、を有する。
実施例２では、実施例１の主題には、第１のばねが伸長すると、第１の電池セルと第２の電池セルとの間の距離を増加させることが随意に含まれる。
実施例３では、実施例１の主題には、第１のばねが圧縮すると、第１の電池セルと第２の電池セルとの間の距離を減少させることが随意に含まれる。
【００３４】
実施例４では、実施例１の主題には、第１のばねは、第１の電池セルの第１の電極に結合され、且つ第１のばねは、第２の電池セルの第２の電極に結合されることが随意に含まれる。
実施例５では、実施例１の主題には、第１の電池セルの第１の電極は、第１の電池セルの端部にあることが随意に含まれる。
実施例６では、実施例１の主題には、第１の電池セルの第１の電極は、第１の電池セルの側面にあることが随意に含まれる。
実施例７では、実施例１の主題は、電池保護回路と、電池保護回路に結合される第２のばねとを随意に含むことができる。
【００３５】
実施例８では、実施例１の主題は、第３の電極を有する第３の電池セルと、第２の電池セルに及び第３の電池セルに結合される第２のばねとを随意に含むことができる。
実施例９では、実施例１及び実施例８の主題には、第２のばねは、第２の電池セルの第２の電極に結合され、且つ第２のばねは、第３の電池セルの第３の電極に結合されることが随意に含まれる。
実施例１０では、実施例１及び実施例９の主題は、第１の電池セルに及び第２の電池セルに結合される第３のばねと、第２の電池セルに及び第３の電池セルに結合される第４のばねとを随意に含むことができる。
【００３６】
実施例１１では、実施例１及び実施例１０の主題には、第３のばねは、第１の電池セルの第４の電極に結合されるとともに、第２の電池セルの第５の電極に結合され、及び第４のばねは、第２の電池セルの第５の電極に結合されるとともに、第３の電池セルの第６の電極に結合されることが随意に含まれる。
実施例１２では、実施例１及び実施例８の主題には、第１のばねは、第１の電池セルの第１の電極に及び第２の電池セルの第４の電極に結合され、第２のばねは、第２の電池セルの第２の電極に及び第２の電池セルの第３の電極に結合されることが随意に含まれる。
実施例１３では、実施例１及び実施例１２の主題には、第１の電極と第４の電極とが、反対の極性であり、第２の電極と第３の電極とが、反対の極性であることが随意に含まれる。
実施例１４では、実施例１及び実施例８の主題には、第１の電池セル、第２の電池セル、及び第３の電池セルが、直列に結合されることが随意に含まれる。
【００３７】
実施例１５は、電子機器であって、当該電子機器は、少なくとも１つの電子部品を有する回路基板と、第１の電極を有する第１の電池セルと、第２の電極を有する第２の電池セルと、第１の電池セルに及び第２の電池セルに結合される第１のばねと、を有する。
実施例１６では、実施例１５の主題には、第１のばねが伸長すると、第１の電池セルと第２の電池セルとの間の距離を増加させることが随意に含まれる。
実施例１７では、実施例１５の主題には、第１のばねが圧縮すると、第１の電池セルと第２の電池セルとの間の距離を減少させることが随意に含まれる。
【００３８】
実施例１８では、実施例１５の主題には、第２の電池セルは、回路基板に結合することが随意に含まれる。
実施例１９では、実施例１５の主題は、電池保護回路を随意に含むことができる。
実施例２０では、実施例１５及び実施例１９の主題は、第２の電池セルに結合される第２のばねを随意に含み、第２のばねは、電池保護回路に結合することを含むことができる。
実施例２１では、実施例１５及び実施例２０の主題は、電池保護回路に及び回路基板に結合される第３のばねを随意に含むことができる。
実施例２２では、実施例１５及び実施例１９の主題には、電池保護回路は、回路基板にあることが随意に含まれる。
【００３９】
実施例２３では、実施例１５の主題には、第１のばねは、第１の電池セルの第１の電極に結合され、且つ第１のばねは、第２の電池セルの第２の電極に結合されることが随意に含まれる。
実施例２４では、実施例１５の主題には、第１の電池セルの第１の電極は、第１の電池セルの端部にあることが随意に含まれる。
実施例２５では、実施例１５の主題には、第１の電池セルの第１の電極は、第１の電池セルの側面にあることが随意に含まれる。
実施例２６では、実施例１５の主題は、第３の電極を有する第３の電池セルと、第２の電池セルに及び第３の電池セルに結合される第２のばねとを随意に含むことができる。
【００４０】
実施例２７では、実施例１５及び実施例２６の主題には、第２のばねは、第２の電池セルの第２の電極に結合され、且つ第２のばねは、第３の電池セルの第３の電極に結合されることが随意に含まれる。
実施例２８では、実施例１５及び実施例２７の主題は、第１の電池セルに及び第２の電池セルに結合される第３のばねと、第２の電池セルに及び第３の電池セルに結合される第４のばねとを随意に含むことができる。
実施例２９では、実施例１５及び実施例２８の主題には、第３のばねは、第１の電池セルの第４の電極に結合されるとともに、第２の電池セルの第５の電極に結合され、第４のばねは、第２の電池セルの第５の電極に結合されるとともに、第３の電池セルの第６の電極に結合されることが随意に含まれる。
【００４１】
実施例３０では、実施例１５及び実施例２６の主題には、第１のばねは、第１の電池セルの第１の電極に及び第２の電池セルの第４の電極に結合され、第２のばねは、第２の電池セルの第２の電極に及び第２の電池セルの第３の電極に結合されることが随意に含まれる。
実施例３１では、実施例１５及び実施例３０の主題には、第１の電極と第４の電極とが、反対の極性であり、第２の電極と第３の電極とが、反対の極性であることが随意に含まれる。
実施例３２では、実施例１５及び実施例２６の主題には、第１の電池セル、第２の電池セル、及び第３の電池セルが、直列に結合されることが随意に含まれる。
実施例３３では、実施例１５の主題には、電子機器は、スマート・ウォッチであることが随意に含まれる。
実施例３４では、実施例１５の主題は、回路基板に結合するディスプレイを随意に含むことができる。
【００４２】
実施例３５では、電池パックであり、当該電池パックは、第１の電極を有する第１の電池セルと、第２の電極を有する第２の電池セルと、第１の電池セルに及び第２の電池セルに結合し且つ第１の電池セルと第２の電池セルとの間の距離を変化させるための第１の手段と、を有する。
実施例３６では、実施例３５の主題には、結合するための第１の手段が伸長すると、第１の電池セルと第２の電池セルとの間の距離を増加させることが随意に含まれる。
実施例３７では、実施例３５の主題には、結合するための第１の手段が圧縮すると、第１の電池セルと第２の電池セルとの間の距離を減少させることが随意に含まれる。
【００４３】
実施例３８では、実施例３５の主題には、結合するための第１の手段は、第１の電池セルの第１の電極に結合され、且つ結合するための第１の手段は、第２の電池セルの第２の電極に結合されることが随意に含まれる。
実施例３９では、実施例３５の主題には、第１の電池セルの第１の電極は、第１の電池セルの端部にあることが随意に含まれる。
実施例４０では、実施例３５の主題は、第１の電池セルの第１の電極は、第１の電池セルの側面にあることが随意に含まれる。
実施例４１では、実施例３５の主題は、電池保護回路と、電池保護回路に結合する第２のばねとを随意に含むことができる。
【００４４】
実施例４２では、実施例３５の主題は、第３の電極を有する第３の電池セルと、第２の電池セルに及び第３の電池セルに結合し且つ第２の電池セルと第３の電池セルとの間の距離を変化させるための第２の手段と随意に含むことができる。
実施例４３では、実施例３５及び実施例４２の主題には、結合するための第２の手段は、第２の電池セルの第２の電極に結合され、且つ結合するための第２の手段は、第３の電池セルの第３の電極に結合されることが随意に含まれる。
実施例４４では、実施例３５及び実施例４３の主題には、第１の電池セルに及び第２の電池セルに結合するための第３の手段と、第２の電池セルに及び第３の電池セルに結合するための第４の手段とを随意に含むことができる。
【００４５】
実施例４５では、実施例３５及び実施例４４の主題には、結合するための第３の手段は、第１の電池セルの第４の電極に結合されるとともに、第２の電池セルの第５の電極に結合され、結合するための第４の手段は、第２の電池セルの第５の電極に結合されるとともに、第３の電池セルの第６の電極に結合されることが随意に含まれる。
実施例４６では、実施例３５及び実施例４２の主題には、結合するための第１の手段は、第１の電池セルの第１の電極に及び第２の電池セルの第４の電極に結合され、結合するための第２の手段は、第２の電池セルの第２の電極に及び第２の電池セルの第３の電極に結合されることが随意に含まれる。
実施例４７では、実施例３５及び実施例４６の主題には、第１の電極と第４の電極とが、反対の極性であり、第２の電極と第３の電極とが、反対の極性であることが随意に含まれる。
実施例４８では、実施例３５及び実施例４２の主題には、第１の電池セル、第２の電池セル、及び第３の電池セルが、直列に結合されることが随意に含まれる。
【００４６】
実施例４９では、電子機器であって、当該電子機器は、少なくとも１つの電子部品を有する回路基板と、第１の電極を有する第１の電池セルと、第２の電極を有する第２の電池セルと、第１の電池セル及び第２の電池セルを結合し且つ第１の電池セルと第２の電池セルとの間の距離を変化させるための第１の手段と、を有する。
実施例５０では、実施例４９の主題には、結合するための第１の手段が伸長すると、第１の電池セルと第２の電池セルとの間の距離を増加させることが随意に含まれる。
実施例５１では、実施例４９の主題には、結合するための第１の手段が圧縮すると、第１の電池セルと第２の電池セルとの間の距離を減少させることが随意に含まれる。
【００４７】
実施例５２では、実施例４９の主題には、第２の電池セルは、回路基板に結合することが随意に含まれる。
実施例５３では、実施例４９の主題は、電池保護回路を随意に含むことができる。
実施例５４では、実施例４９及び実施例５３の主題は、第２の電池セルに結合するための第２の手段を随意に含み、結合するための第２の手段は、電池保護回路に結合することを含むことができる。
実施例５５では、実施例４９及び実施例５４の主題は、電池保護回路に及び回路基板に結合するための第３の手段を随意に含むことができる。
【００４８】
実施例５６では、実施例４９及び実施例５３の主題には、電池保護回路は、回路基板にあることが随意に含まれる。
実施例５７では、実施例４９の主題には、結合するための第１の手段は、第１の電池セルの第１の電極に結合され、且つ結合するための第１の手段は、第２の電池セルの第２の電極に結合されることが随意に含まれる。
実施例５８では、実施例４９の主題には、第１の電池セルの第１の電極は、第１の電池セルの端部にあることが随意に含まれる。
実施例５９では、実施例４９の主題には、第１の電池セルの第１の電極は、第１の電池セルの側面にあることが随意に含まれる。
【００４９】
実施例６０では、実施例４９の主題は、第３の電極を有する第３の電池セルと、第２の電池セルに及び第３の電池セルに結合し且つ第２の電池セルと第３の電池セルとの間の距離を変化させるための第２の手段とを随意に含むことができる。
実施例６１では、実施例４９及び実施例６０の主題には、結合するための第２の手段は、第２の電池セルの第２の電極に結合され、且つ結合するための第２の手段は、第３の電池セルの第３の電極に結合されることが随意に含まれる。
実施例６２では、実施例４９及び実施例６１の主題は、第１の電池セルに及び第２の電池セルに結合するための第３の手段と、第２の電池セルに及び第３の電池セルに結合するための第４の手段とを随意に含むことができる。
【００５０】
実施例６３では、実施例４９及び実施例６２の主題には、結合するための第３の手段は、第１の電池セルの第４の電極に結合されるとともに、第２の電池セルの第５の電極に結合され、結合するための第４の手段は、第２の電池セルの第５の電極に結合されるとともに、第３の電池セルの第６の電極に結合されることが随意に含まれる。
実施例６４では、実施例４９及び実施例６０の主題には、結合するための第１の手段は、第１の電池セルの第１の電極に及び第２の電池セルの第４の電極に結合され、結合するための第２の手段は、第２の電池セルの第２の電極に及び第２の電池セルの第３の電極に結合されることが随意に含まれる。
実施例６５では、実施例４９及び実施例６４の主題には、第１の電極と第４の電極とが、反対の極性であり、第２の電極と第３の電極とが、反対の極性であることが随意に含まれる。
【００５１】
実施例６６では、実施例４９及び実施例６０の主題には、第１の電池セル、第２の電池セル、及び第３の電池セルが、直列に結合されることが随意に含まれる。
実施例６７では、実施例４９の主題には、電子機器は、スマート・ウォッチであることが随意に含まれる。
実施例６８では、実施例４９の主題は、回路基板に結合するディスプレイを随意に含むことができる。
【００５２】
本明細書中での「一実施形態」、「実施形態」、「例示的な実施形態」等への参照は、その実施形態に関連して説明される特定の特徴、構造、又は特性が、少なくとも一実施形態に含まれることを意味する。明細書の様々な箇所におけるそのような語句の出現は、必ずしも全て同じ実施形態を指すものではない。さらに、特定の特徴、構造、又は特性が任意の実施形態に関連して説明されている場合に、そのような特徴、構造、又は特性をそれら実施形態の他のものと関連させることができることは、当業者の範囲内であると考える。
【００５３】
実施形態について、その例示的な多数の実施形態を参照して説明してきたが、本開示の原理の精神及び範囲内に含まれる多数の他の修正及び実施形態は、当業者によって想到し得ることを理解すべきである。より具体的には、様々な変形及び変更は、本開示、図面及び添付の特許請求の範囲内にある主題の組合せの構成の構成部品及び／又配置において可能である。構成部品及び／又は配列における変形及び修正に加えて、代替的な用途は、当業者にも明らかであろう。
【図１】
2016539472.tif 000003
【図２】
2016539472.tif 000004
【図３】
2016539472.tif 000005
【図４】
2016539472.tif 000006
【図５】
2016539472.tif 000007
【図６】
2016539472.tif 000008
【図７】
2016539472.tif 000009
【図８Ａ】
2016539472.tif 000010
【図８Ｂ】
2016539472.tif 000011
【図９Ａ】
2016539472.tif 000012
【図９Ｂ】
2016539472.tif 000013
【図１０】
2016539472.tif 000014
【国際調査報告】
2016539472.tif 000015
2016539472.tif 000016